(57)【要約】      （修正有）【課題】引戸錠の室内側のスライダに開閉摘みを着脱可能にし、防犯のため開閉摘みをスライダから取り外した状態で、開閉摘みがそれまで装着されていた開口を手掛かりとして框の間から針金等を差し込んで不正解錠することを防止する。【解決手段】開閉摘みをスライダから取り外すときに、カム体を介してロックバー２２を見込み方向、すなわち室内方向に動かし、ロックバー２２を中間ストッパー６の下方においてロックバー２２と一体のスライダが上昇しないようにする。【選択図】図１２
2013213381.tif 000002
【特許請求の範囲】
【請求項１】
引戸錠の室内側ブロックに組み込まれたものであって、その室内側面盤の少なくとも一方の袖板の所定位置を見込み方向室内側に一定幅で切り込んで形成された第１及び第２ストッパーと、これ等第１及び第２ストッパーの間の袖板を室外側から見込み方向室内側に浅く切り込んで形成された縦長の中間ストッパーと、上記室内側面盤の室外側において上下方向に移動可能に支持、案内され、一端を室外側のシリンダ錠にラック及びピニオンを介して連結されると共に、他端部に、２等辺三角形で等辺が挟む隅部を室内側に向けた形状のカム穴を形成したコネクトプレートと、このコネクトプレートに対し相対的に上下方向に遊動できるように案内されると共に、ばね部材を介して弾性的に連結され、後記通常モードでは開閉摘みと一体的に結合されて、この開閉摘みを上下動させることにより室内側からカマをストライク開口に係脱させるようにしたスライダと、このスライダの室内側に開口した開閉摘み受入孔と、この開閉摘み受入孔の近傍におけるスライダに配設されたカム体と、開閉摘み受入孔に挿入された取り外し可能の開閉摘みの外端部と係合し、開閉摘みを回動させたとき上記カム体と係合してこれを所定の方向に駆動する回転筒と、上記スライダを水平方向に貫通すると共に、水平方向に延在し、また、その端部を上記コネクトプレートのカム穴に遊嵌させると共に、上記袖板の切り込み部に係合可能に臨ませたロックバーと、このロックバーを室内側に付勢するロックバーばねとを有し、上記開閉摘み受入孔に開閉摘みが挿入された通常モードではカム体がロックバーを室外側に押動して、その中心が上記中間ストッパーの室外側の端縁よりもやや室外側に位置するようにし、一方、開閉摘み受入孔から開閉摘みを取り外した防犯モードでは、カム体がロックバーを室内側に変位させて、ロックバーの中心が中間ストッパーの室外側の端縁よりもやや室内側に位置するようにし、他方、室外側から合鍵でシリンダ錠を施解錠操作するときには、先ず、コネクトプレートを上下方向に動かしてそのカム穴とロックバーとの係合により、ロックバーを中間ストッパーより室外側に移動させるようにし、以て、防犯モードにおいて室内側に変位したロックバーを室外側に押動してスライダを防犯モードから解放するようにしたことを特徴とする引戸錠の防犯装置。
【発明の詳細な説明】
【技術分野】
【０００１】  この発明は、引戸錠の防犯装置（以下単に防犯装置という）に係り、特に、室内側の施解錠釦（摘み）を取り外すことができるタイプの引戸錠において、摘みを取り去った後の開口に針金等の破錠部材を挿入しても引戸錠を解錠できないようにした防犯装置に関する。
【背景技術】
【０００２】  引き違いとなる２枚の引戸の閉扉時、戸枠の中央で重合する内外の框を錠止する引戸錠は周知で、例えば後記の特許文献１の図４に示すように、室内側の摘み２５を室内側から上下方向に動かすことによりスライダ３５を上下させ、このスライダ３５によってロック部材（カマ）２２を係止部材２３（ストライク）の開口端縁に係脱させて引戸の施解錠を室内側から行うことができる。【０００３】  ところで、かかる形式の引戸錠も、引戸閉扉時上記内外の框の間の隙間から針金を差し入れてスライダの摘みを操作することによる不正解錠は不可能ではない、という不都合がある。
【先行技術文献】
【特許文献】
【０００４】
【特許文献１】  特許第４８５２０６７号に係る特許公報
【発明の概要】
【発明が解決しようとする課題】
【０００５】  上記の不都合を解消するため、上記特許文献１に記載された引戸錠においては、特許文献１の図３７及び図３８に示すように、摘みを取り外すことができるようになっている。【０００６】  しかしながら、摘みを取り去ってもそれまで摘みが収納されていた凹陥部又は開口部は室内側に露出しているわけであるから、框の間を通して針金をこの開口等に差し入れて操作することにより、不正解錠ができる、等未だ改良の余地がある。【０００７】  そこで、この発明は、摘みを取り外すことができるタイプの引戸錠において、摘みを取り去った後の開口に針金等の破錠部材を挿入しても引戸錠を解錠できないようにした防犯装置を提供することを目的としている。
【課題を解決するための手段】
【０００８】  上記の目的を達成するため、この発明は、引戸錠の室内側ブロックに組み込まれたものであって、その室内側面盤の少なくとも一方の袖板の所定位置を見込み方向室内側に一定幅で切り込んで形成された第１及び第２ストッパーと、これ等第１及び第２ストッパーの間の袖板を室外側から見込み方向室内側に浅く切り込んで形成された縦長の中間ストッパーと、上記室内側面盤の室外側において上下方向に移動可能に支持、案内され、一端を室外側のシリンダ錠にラック及びピニオンを介して連結されると共に、他端部に、２等辺三角形で等辺が挟む隅部を室内側に向けた形状のカム穴を形成したコネクトプレートと、このコネクトプレートに対し相対的に上下方向に遊動できるように案内されると共に、ばね部材を介して弾性的に連結され、後記通常モードでは開閉摘みと一体的に結合されて、この開閉摘みを上下動させることにより室内側からカマをストライク開口に係脱させるようにしたスライダと、このスライダの室内側に開口した開閉摘み受入孔と、この開閉摘み受入孔の近傍におけるスライダに配設されたカム体と、開閉摘み受入孔に挿入された取り外し可能の開閉摘みの外端部と係合し、開閉摘みを回動させたとき上記カム体と係合してこれを所定の方向に駆動する回転筒と、上記スライダを水平方向に貫通すると共に、水平方向に延在し、また、その端部を上記コネクトプレートのカム穴に遊嵌させると共に、上記袖板の切り込み部に係合可能に臨ませたロックバーと、このロックバーを室内側に付勢するロックバーばねとを有し、上記開閉摘み受入孔に開閉摘みが挿入された通常モードではカム体がロックバーを室外側に押動して、その中心が上記中間ストッパーの室外側の端縁よりもやや室外側に位置するようにし、一方、開閉摘み受入孔から開閉摘みを取り外した防犯モードでは、カム体がロックバーを室内側に変位させて、ロックバーの中心が中間ストッパーの室外側の端縁よりもやや室内側に位置するようにし、他方、室外側から合鍵でシリンダ錠を施解錠操作するときには、先ず、コネクトプレートを上下方向に動かしてそのカム穴とロックバーとの係合により、ロックバーを中間ストッパーより室外側に移動させるようにし、以て、防犯モードにおいて室内側に変位したロックバーを室外側に押動してスライダを防犯モードから解放するようにしたことを特徴とする。
【発明の効果】
【０００９】  上記のように構成されたこの発明の一実施例による防犯装置は、開閉摘み受入孔に開閉摘みが挿入された通常モードでは、開閉摘み受入孔に開閉摘みが挿入されており、そのためカム体がロックバーを少し室外側に押動して、その中心が上記中間ストッパーの室外側の端縁よりもやや室外側に位置している。【００１０】  この状態で開閉摘みを例えば解錠方向に動かすと、ロックバーと中間ストッパーの上又は下端との係合があたかも一種のクリック装置のように作動して、少し抵抗があるがそれを超えるとロックバーは自由になり、ロックバーはその付勢力により中間ストッパーの室外側の端縁と摺接しつつ移動し、引戸錠は解錠される。【００１１】  そして、中間ストッパーと第１又は第２ストッパーとの間の間隙部に落ち込んで、クリック感を伴って開閉摘みが停止する。【００１２】  この作動は、開閉摘みを解錠から施錠方向に動かすときにも同様である。【００１３】  一方、この防犯装置の防犯モード、すなわち、スライダの室内側に開口した開閉摘み受入孔から開閉摘みを抜去した状態において、スライダを何らかの方法により例えば解錠方向に動かそうとすると、前記したようにカム体がロックバーを室内側に変位させて、ロックバーの中心が中間ストッパーの室外側の端縁よりもやや室内側の位置に置かれるから、例えスライダを解錠方向に動かそうとしてもロックバーが中間ストッパーの一端に衝止される。【００１４】  したがって、防犯モードにおいては開閉摘みを抜去した後の開口に針金等を差し込んでもスライダを動かしてカマを操作することはできない。【００１５】  他方、防犯モードにおいて室外側から合鍵によっても解錠できないとすれば本末転倒となるので、この場合にはラックとピニオンとの係合を介してシリンダ錠の回転をコネクトプレートに伝達し、コネクトプレートをスライダに関して相対的に遊動させる。【００１６】  そして、コネクトプレートに形成されたカム穴とロックバーとの係合によりロックバーを中間ストッパーより室外側に移動させて、ロックバーと中間ストッパーとが干渉しないようにし、以て、スライダの解錠、又は施錠方向の移動を自由にする。
【図面の簡単な説明】
【００１７】
【図１】  室内側面盤を室内側からみた正面図。
【図２】  室内側ブロックの一部断面側面図。
【図３】  その背面図。
【図４】  室内側面盤の一部断面側面図。
【図５】  コネクトプレートを室外側から見た裏面図。
【図６】  その一部断面側面図。
【図７】  本発明による防犯装置の主要部の線図的側面図で、通常モードを示す。
【図８】  スライダの一部断面平面図。
【図９】  その室外側からみた裏面図。
【図１０】  その一部分麺側面図。
【図１１】  カム体を室外側からみた正面図。
【図１２】  本発明による防犯装置の主要部の線図的側面図で、防犯モードを示す。
【図１３】  本発明による防犯装置の主要部の線図的側面図で、室外側から合鍵で制御する場合を示す。
【発明を実施するための形態】
【００１８】  スライダの室内側の面に開閉摘み受入孔を形成し、この開閉摘み受入孔への開閉摘みの挿入または抜去の状態変化により、スライダに担持されたロックバーのストッパーに対する相対位置を変化させ、以て、開閉摘みを抜去したときにはスライダをロックして引き戸を室内側から解錠できないようにし、一方、室外側か゛ら合鍵でシリンダ錠を解錠したときには、シリンダ錠に連動して上下するコネクトプレートに形成されたカム穴と、ロックバーとの係合によりロックバーを中間ストッパーから解放し、スライダを施錠側から解錠側に、或いはその反対方向に移動できるようにした。
【実施例１】
【００１９】  以下、この発明の一実施例を図面を参照して説明する。
図１乃至図３はこの発明の一実施例による防犯装置を組み込んだ引戸錠の室内側のブロックを示す。【００２０】  そして、本願発明による防犯装置は、図１乃至図３に示す室内側面盤１と、この室外側（図２で右側）に隙間を保ってねじ止めされたカバー２（図２参照）との間に組み込まれている。【００２１】  上記室内側面盤１は、中央部からやや下方に偏った部分に縦長の開口を形成したブロック体で、図４に示すように、その下方における両側端縁から室外側に突出する一対の袖板３、３が一体に形成されている。【００２２】  そして、これら一対の袖板３、３の所定位置を見込み方向室内側に一定幅で切り込んで第１及び第２ストッパー４、５が形成されている。【００２３】  また、これ等第１及び第２ストッパー４、５の間の袖板４を室外側から見込み方向室内側に浅く切り込むことにより、縦長の中間ストッパー６が形成されている。【００２４】  一方、図３に示すように、室外側から操作されるシリンダ錠７には、ピニオン８およびラック９を介して、コネクトプレート１１が上下動可能に連結されている。【００２５】  このコネクトプレート１１は、後述するように、合鍵を介して後記のロックバーやスライダを制御するものである。【００２６】  上記コネクトプレート１１は、図５及び図６に示すように、両側の細長い側板の下方に略２等辺三角形のカム穴１２、１２を両側に開口させ、上下両端部に付番しない連結板を一体に結合した枠板である。【００２７】  なお、上記カム穴１２の形状は、図７に示す組み立て状態において、等辺が挟む隅部を室内側（図７で左側）に向けた形状である。【００２８】  また、上記した構造により、図６に示すように、一対の側板及び連結板の間に比較的大きな矩形の吹き抜け部１３（図５参照）が形成される。【００２９】  更にまた、上記コネクトプレート１１は、上方の連結板を折り曲げて形成した差し込み板１４（図５参照）をラック９の図３における付番しない凹陥部に差し込むことによりラック９に一体的に連結されている。【００３０】  他方、上記コネクトプレート吹き抜け部１３（図５参照）には、図５に示す吹き抜け部１３の裏面側から図８乃至図１０に示すスライダ１５の突出部が差し込まれ、スライダ１５はコネクトプレート１１に対し相対的に上下方向に移動可能に案内されることになる。【００３１】  なお、図８乃至図１０に示すように、スライダ１５は板に乗ったブロックのような形状で、その板の室内側の面を室内側面盤１の裏面に摺接させて上下動する。【００３２】  また、スライダ１５とコネクトプレート１１の組み立て状態において、コネクトプレート１１とスライダ１５のブロック部との間には、圧縮コイルばねとしてのばね部材１６（図３参照）が弾装されている。【００３３】  なお、後記通常モードでは、このスライダ１５は開閉摘み１７（図２参照）と一体的に結合され、この開閉摘みを上下動させることにより、室内側から図示しないカマをストライク開口に係脱させるようにしてあることは従来の引戸錠と同様である。【００３４】  図１乃至図３に戻って、図１に示すように、スライダ１５の室内側の面に開口した開閉摘み受入孔１８に開閉摘み１７を挿入し、これを所定の方向に回すと開閉摘み１７は付番しない回転筒と一体的に連結される。【００３５】  そして、図３に示す上記回転筒の作動腕１９がカム体２１を押し下げ、カム体が後記ロックバー２２を少し室外側に押動するので、ロックバー２２は図２に示す通常モードの位置を取る。【００３６】  ちなみに、上記ロックバー２２はスライダ１５の一対の長穴２３、２３（図１０参照）を水平に挿通する水平な丸棒で、その両端部を前記コネクトプレート１１のカム穴１２（図５及び図６参照）に遊嵌させると共に、前記袖板３の切り込み部（第１、第２或いは中間ストッパー）に係合可能に臨ませている。【００３７】  また、上記ロックバー２２は、図３に示すように、圧縮コイルばねとしての一対のロックバーばね２４、２４の弾力により、中央部分を室内側に弾圧されている。【００３８】  図３に示す通常モードにおいては、上記ロックバー２２は図１１に示すカム体２１のＰで示す段部に弾圧されている。【００３９】  上記のように構成されたこの発明の一実施例による防犯装置は、前記開閉摘み受入孔に開閉摘みが挿入された第１〜３図示の通常モードでは、図２に示すように、カム体２１がロックバー２２を室外側（図２で右方）に押動している。【００４０】  そのため、図７に示すように、ロックバー２２の中心が中間ストッパー６の室外側の端縁よりもやや室外側に位置する。【００４１】  この状態で開閉摘み１７を押し上げて例えば解錠しようとすると、ロックバーの断面である円弧と、中間ストッパー６の下端隅部との間の楔作用により、ロックバー２２は一種のクリック間隔を伴って室外側に急激に移動してスライダを自由にする。【００４２】  したがって、通常モードでは開閉摘み１７の上げ下げにより、クリック間隔を伴って室内側から引戸の施、解錠を行うことができる。【００４３】  一方、開閉摘み１７を取り外した防犯モードでは、図示しないばね部材によってカム体２１が図２の状態から少し上昇する（図示せず）。【００４４】  すると、ロックバー２２はカム体２１に対し相対的に下降するので、ロックバー２２は、それまで乗っていたカム体の棚部から下方の斜面部に移動する。【００４５】  その結果、ロックバー２２は室内側に少し移動し、その中心が中間ストッパー６の室外側の端縁よりもやや室内側に位置するようになる。【００４６】  この状態では、ロックバー２２が室外側に移動してその中心が中間ストッパー６の室外側の端縁よりもやや室外側に来ない限りロックバーは中間ストッパーを乗り越えることができない。【００４７】  つまり、防犯モードでは開閉摘み受入孔１８の開口に針金等を差し込んでスライダ１５を動かそうとしても、スライダ１５は動かず、したがって防犯装置の機能を発揮することができる。【００４８】  他方、室内側からではなく、室外側から合鍵でシリンダ錠を解錠したときにはどうなるかというと、防犯モードになっていれば何時も引戸を解錠できないとすれば本末転倒になる。【００４９】  このときには、たとえば図１３に示すように、室外側から合鍵でシリンダ錠を解錠し、コネクトプレート１１を例えば上方に動かしてその下端部の三角形のカム穴とロックバー２２との係合によりロックバー２２を室外側に大きく動かし、ロックバー２２に中間ストッパー６の室外側の端縁を乗り越えさせる。【００５０】  このようにすれば、防犯装置が通常モードであっても、また、防犯モードであっても、室内側のスライダの状態にかかわらず外側から引戸の施解錠ができる。
【符号の説明】  １  室内側面盤
２  カバー
３  袖板
４  第１ストッパー
５  第２ストッパー
６  中間ストッパー
７  シリンダ錠
８  ピニオン
９  ラック
１１  コネクトプレート
１２  カム穴
１３  吹き抜け部
１４  差し込み板
１５  スライダ
１６  ばね部材
１７  開閉摘み
１８  開閉摘み受入孔
１９  作動腕
２１  カム体
２２  ロックバー
２３  長穴
２４  ロックバーばね
【図１】
2013213381.tif 000003
【図７】
2013213381.tif 000004
【図２】
2013213381.tif 000005
【図１２】
2013213381.tif 000006
【図３】
2013213381.tif 000007
【図１３】
2013213381.tif 000008
【図４】
2013213381.tif 000009
【図１１】
2013213381.tif 000010
【図５】
2013213381.tif 000011
【図６】
2013213381.tif 000012
【図８】
2013213381.tif 000013
【図９】
2013213381.tif 000014
【図１０】
2013213381.tif 000015